(57)【要約】【課題】アウターのデザインに応じて、肩紐スタイルとホルターネックスタイルとの２通りに変形させることができ、装飾性が高くておしゃれな下着を提供すること。【解決手段】筒状の胴部１、左右の前紐２及び後紐３を備え、前紐２の一端を胴部１の上縁前部の中央寄りに取り付けると共に、他端を左右両側寄りに取り付け、左右の前紐２を摺動可能なスライダ９によって結合し、後紐３の上端を前紐２のスライダ９よりも他端寄りへ着脱可能に係止すると共に、下端を胴部１の上縁後部の左右両側寄りへ着脱可能に係止する。【選択図】図１
0003121372.tif 000002
【実用新案登録請求の範囲】
【請求項１】
筒状の胴部と、左右の前紐と、左右の後紐とを有し、前記左右の前紐の一端を前記胴部の上縁前部の中央寄りに取り付けると共に、他端を上縁前部の左右両側寄りに取り付け、これら左右の前紐を摺動可能なスライダによって結合し、前記左右の後紐の上端を前記前紐のスライダよりも他端寄りへ着脱可能に係止すると共に、下端を前記胴部の上縁後部の左右両側寄りへ着脱可能に係止したことを特徴とする下着。
【請求項２】
前記後紐の上端を前記前紐へ摺動可能に係止した請求項１に記載の下着。
【請求項３】
前記後紐は長さ調節可能である請求項１又は２に記載の下着。
【考案の詳細な説明】
【技術分野】
【０００１】
本考案は、キャミソール、スリップのように筒状の胴部を有し、該胴部の上端部に設けた紐により、肩又は首で支えて着用する下着に関する。
【背景技術】
【０００２】
従来、筒状の胴部の上縁両側にストラップを設けた下着、例えば、キャミソール、スリップが知られている。キャミソールやスリップは、胴部が胸周りを覆う高さまでしかなく、しかも、細いストラップを装着しているので、襟刳りの大きいアウターを着用してもはみ出し難いという利点がある。
しかし、従来のキャミソール等は、ストラップのデザインを変えることができなかったので、アウターの襟刳り形状や大きさに合わせて、また、アウターの襟刳りから露出させるかによって、多くの下着を用意しなければならなかった。
【考案の開示】
【考案が解決しようとする課題】
【０００３】
本考案が解決しようとする課題は、アウターのデザインに応じて、肩紐スタイルとホルターネックスタイルとの２通りに変形させることができ、装飾性が高くておしゃれな下着を提供することにある。
【課題を解決するための手段】
【０００４】
本考案の下着は、筒状の胴部と、左右の前紐と、左右の後紐とを有し、前記左右の前紐の一端を前記胴部の上縁前部の中央寄りに取り付けると共に、他端を左右両側寄りに取り付け、これら左右の前紐を摺動可能なスライダによって結合し、前記左右の後紐の上端を前記前紐のスライダよりも他端寄りへ着脱可能に係止すると共に、下端を前記胴部の上縁後部の左右両側寄りへ着脱可能に係止してある。
後紐を取り付けて、スライダによる左右前紐の結合位置を下げれば、胴部の上縁両側に前後身頃に亘って肩紐を架設した肩紐スタイルとなる。
後紐を取り外して、スライダによる左右前紐の結合位置を上げれば、胴部の上縁の前部両側間に首掛け紐を架設したホルターネックスタイルとなる。
前記後紐の上端を前記前紐へ摺動可能に係止すると良い。
前記後紐は長さ調節可能とするのが望ましい。
【考案の効果】
【０００５】
請求項１に係る考案によれば、アウターのデザインに応じて、簡単に肩紐スタイルとホルターネックスタイルの２通りに変形させることができるので、効果的に一部をアウターから露出させて見せることもできるし、アウターの下に隠すことも可能である。
請求項２に係る考案によれば、後紐と前紐との係止位置を変えることにより、肩紐スタイルにした時、肩紐の長さを着用者の体形に合わせることができる。
請求項３に係る考案によれば、後紐の長さを調節することにより、肩紐スタイルにした時、肩紐の長さを着用者の体形に合わせることができる。
【考案を実施するための最良の形態】
【０００６】
以下、下着がキャミソールである実施例を図面に基づいて詳細に説明する。図１は、キャミソールの斜視図、図２は、前紐と後紐との係止部分の拡大図、図３は、肩紐スタイルにおける使用状態を示す図、図４は、ホルターネックスタイルにおける使用状態を示す図である。
図１に示すように、本考案のキャミソールは、胴部１と、左右の前紐２と、左右の後紐３とを有する。
胴部１は、前身頃４と後身頃５とを縫着して筒状に形成してあり、前身頃４の上部左右には、正面から見て略三角形のカップ部６をそれぞれ設けてある。また、前身頃４の上部中央の表面には、レースモチーフ等の装飾片７を装着してある。
後身頃５の上縁の裏面両側部には、後紐３を係止するためのループ８をそれぞれ設ける。
【０００７】
前紐２は、長さ５５ｃｍ程度の伸縮性のある紐であり、その一端が前身頃４の上縁中央寄りに取り付けられ、他端は前身頃４の上縁両側寄り（カップ部６の上端頂部）に取り付けられる。
また、左右の前紐２はスライダ９で結合される。スライダ９は、金属等を素材とし、円環状の枠体内に、その直径に沿って棒材を架設して成り、枠体の直径は、左右の前紐２の幅の合計よりやや大きく形成してある。
そして、左右の前紐２を枠体へ裏面から差込み、棒材の表面を通して枠体の裏面側へ脱出させることにより、スライダ９を左右の前紐２に摺動自在に装着する。
なお、スライダ９の構造はこれに限定されるものではないが、露出させてもおかしくない素材及び形状とする。
【０００８】
左右の後紐３は、一般的なブラジャーのストラップに用いられているような伸縮紐より成り、中間部に長さ調節具１０が摺動自在に装着される。そして、長さ調節具１０よりも下方の部分を折り返して、その先端を長さ調節具１０に固定してある。従って、長さ調節具１０を移動して折り返し部分の長さを変えることにより、後紐３の上端から下端までの長さを調節できる。
図２の（ａ）に示すように、後紐３の上端には上部フック１１を装着し、これよりやや下方に両側が開口した筒状部１２を形成する。
また、後紐３の折り返し部の下端には、下部フック１３を摺動可能に取り付けてある（図１）。
【０００９】
図２の（ｂ）に示すように、前紐２のスライダ９よりも他端寄りに後紐３の上端部を巻きつけ、上部フック１１を筒状部１２に挿通すると、後紐３の上端を前紐２に着脱可能に、且つ、摺動可能に係止することができる。
また、図１に示すように、下部フック１３をループ８に挿通することにより、左右の後紐３の下端を胴部１の上縁両側寄りにそれぞれ着脱可能に係止することができる。
【００１０】
後紐３を装着して、前紐２と胴部１の上縁後部とを後紐３で連結し、スライダ９を下方へ移動して左右の前紐２の結合位置を下げると、前紐２及び後紐３は連続して左右の肩紐となり、キャミソールは通常の肩紐スタイルとなる。
肩紐スタイルにした時は、図３に示すように、スライダ９の上方において、左右の前紐２及び後紐３の間に首を通し、連続した前紐２及び後紐３と胴部１の上縁とで囲まれたアームホールに腕を通して着用する。この時、着用者の体形に合わせて、後紐３の長さ及び後紐３と前紐２との係止位置を調節する。
また、この上に襟刳りの大きいアウターを着ると、アウターの胸元から、胴部１の前上部、前紐２の中央寄り部分及びスライダ９が露出する。
【００１１】
一方、図４に示すように、後紐３を取り外し、スライダ９を押し上げて前紐２の結合位置を上方へ移動すると、左右の前紐２は連続して首掛け紐となり、キャミソールはホルターネックスタイルとなる。
ホルターネックスタイルとした時は、スライダ９の下方において、左右の前紐２の間に首を通して着用する。
この上に、例えばチューブトップ等のアウターを着用すると、首を取り巻く前紐２と首の後に位置するスライダ９が露出する。
【００１２】
なお、本考案の下着は、上記実施例に限定されるものではなく、スリップであっても良い。
また、前身頃４の上部に別に成形したカップ部６を取り付ける必要は無く、同様の機能を果たすものであれば、スライダ９、上部フック１１及び下部フック１３の形状・構造を変更することも可能である。
【図面の簡単な説明】
【００１３】
【図１】本考案の実施例を示すキャミソールの斜視図。
【図２】前紐と後紐との係止部分を示し、（ａ）は係止前、（Ｂ）は係止後の拡大斜視図。
【図３】肩紐スタイルにした時の使用状態を示す斜視図。
【図４】ホルターネックスタイルにした時の使用状態を示す斜視図。
【符号の説明】
【００１４】
１  胴部
２  前紐
３  後紐
４  前身頃
５  後身頃
６  カップ部
７  装飾片
８  ループ
９  スライダ
１０  長さ調節具
１１  上部フック
１２  筒状部
１３  下部フック
【図１】
0003121372.tif 000003
【図２】
0003121372.tif 000004
【図３】
0003121372.tif 000005
【図４】
0003121372.tif 000006